(57)【要約】【課題】周期的な映像信号表示および非映像信号表示で生じるフリッカを低減する。【解決手段】液晶表示装置は複数の液晶画素ＰＸと、これら画素ＰＸの行を映像信号書込用および非映像信号書込用に選択する垂直駆動回路ＹＤと、映像信号書込用に選択された行の画素ＰＸに対して映像信号を書き込み、非映像信号書込用に選択された行の画素ＰＸに対して非映像信号を書込む水平駆動回路ＸＤと、複数の画素ＰＸに対する映像信号書込みを１垂直走査期間において１行単位に順次行い、複数の画素ＰＸに対する非映像信号書込みを最初の映像信号書込みから垂直走査期間よりも短い時間遅れて少なくとも１行単位に順次行うように水平駆動回路ＸＤおよび垂直駆動回路ＹＤを制御するコントローラ５とを備える。特に、垂直駆動回路ＹＤは各行の画素ＰＸに対する映像信号書込用の選択期間と他の行の画素ＰＸに対する非映像信号書込用の選択期間とを重複させない選択パターンをコントローラ５から供給されるイネーブル信号ＯＥ１〜ＯＥ３に基いて設定する。【選択図】図１
2007241029.tif 000002
【特許請求の範囲】
【請求項１】
略マトリクス状に配置される複数の液晶画素と、前記複数の液晶画素の行を映像信号書込用および非映像信号書込用にそれぞれ選択する垂直駆動回路と、映像信号書込用に選択された行の液晶画素に対して映像信号を書き込み、非映像信号書込用に選択された行の液晶画素に対して非映像信号を書込む水平駆動回路と、前記複数の液晶画素に対する映像信号書込みを１垂直走査期間において１行単位に順次行い、前記複数の液晶画素に対する非映像信号書込みを最初の映像信号書込みから前記垂直走査期間よりも短い時間遅れて少なくとも１行単位に順次行うように前記水平駆動回路および垂直駆動回路の動作タイミングを制御する制御回路とを備え、前記垂直駆動回路は各行の液晶画素に対する映像信号書込用の選択期間と他の行の液晶画素に対する非映像信号書込用の選択期間とを重複させない選択パターンを前記制御回路から供給される少なくとも２つのイネーブル信号に基いて設定するように構成されることを特徴とする液晶表示装置。
【請求項２】
前記複数の液晶画素は、前記複数行の液晶画素の行に沿って配置される複数のゲート線、および前記複数の液晶画素に隣接してそれぞれ配置され選択行の液晶画素に対応するゲート線が駆動されたときに前記選択行の液晶画素に対する前記水平駆動回路による書込みを許可するように導通する複数の画素スイッチング素子と一緒に表示パネルを構成することを特徴とする請求項１に記載の液晶表示装置。
【請求項３】
前記垂直駆動回路は前記制御回路から１垂直走査期間毎に供給される第１および第２のスタートパルスを受取って前記複数の液晶画素の行に対する映像信号書込用および非映像信号書込用の選択をそれぞれ開始し、前記制御回路から供給されるクロック信号に同期して変更される映像信号書込用の選択行および非映像信号書込用の選択行にそれぞれ対応するゲート線に対して駆動電圧を出力するゲートドライバと、前記ゲートドライバから出力される映像信号書込用の駆動電圧および非映像信号書込用の駆動電圧を前記少なくとも２つのイネーブル信号の組合せ変更によって切換えて時分割的に出力する出力切換部とを含むことを特徴とする請求項２に記載の液晶表示装置。
【請求項４】
前記制御回路は前記第２のスタート信号の制御によって前記複数の液晶画素を２行以上である所定行数ずつ非映像信号書込用に一緒に選択する場合に前記クロック信号のパルスを周期的に間引くように構成されることを特徴とする請求項３に記載の液晶表示装置。
【発明の詳細な説明】
【技術分野】
【０００１】
本発明は、例えばＯＣＢ(Optically Compensated Bend）モードの液晶表示パネルに映像信号表示および非映像信号表示を周期的に行わせる液晶表示装置に関する。
【背景技術】
【０００２】
液晶表示装置に代表される平面表示装置は、コンピュータ、カーナビゲーションシステム、あるいはテレビ受信機等において画像を表示するために広く利用されている。液晶表示装置は、一般に複数の液晶画素のマトリクスアレイを含む液晶表示パネル、およびこの表示パネルを制御する表示パネル制御回路を有する。液晶表示パネルはアレイ基板および対向基板間に液晶層を挟持した構造である。
【０００３】
アレイ基板は略マトリクス状に配置される複数の画素電極、複数の画素電極の行に沿って配置される複数のゲート線、複数の画素電極の列に沿って配置される複数のソース線、複数のゲート線および複数のソース線の交差位置近傍に配置される複数のスイッチング素子を有する。各スイッチング素子は例えば薄膜トランジスタ（ＴＦＴ）からなり、１ゲート線が駆動されたときに導通して１ソース線の電位を１画素電極に印加する。対向基板には、共通電極がアレイ基板に配置された複数の画素電極に対向するように設けられる。画素電極および共通電極はこれら電極間に位置する液晶層の一部である画素領域と共に画素を構成し、画素電極および共通電極間の電位差である液晶駆動電圧に対応した電界によって画素領域内の液晶分子配向を制御する。表示パネル制御回路は垂直駆動回路として複数のゲート線を駆動するゲートドライバ、水平駆動回路として複数のソース線を駆動するソースドライバ、および外部からの画像情報および同期信号に基いてこれらゲートドライバおよびソースドライバの動作タイミングを制御するタイミングコントローラ等を含む。  
主に動画を表示するテレビ受信機用の液晶表示装置には、液晶分子が良好な応答性を示すＯＣＢモードの液晶表示パネルの導入が検討されている（特許文献１を参照）。液晶分子配向は画素電極および共通電極上で互いに平行にラビングされた配向膜によって電源投入前においてほとんど寝ているスプレイ配向になる。この液晶表示パネルは、電源投入に伴って印加される比較的強い電界によりスプレイ配向をベンド配向に転移させる初期化後に表示動作を行う。
【０００４】
液晶分子配向が電源投入前にスプレイ配向となる理由は、スプレイ配向が液晶駆動電圧の無印加状態でエネルギー的にベンド配向よりも安定であるためである。液晶分子配向は一旦ベンド配向に転移しても、スプレイ配向のエネルギーとベンド配向のエネルギーとが拮抗するレベル以下の電圧印加状態や電圧無印加状態が長期間続く場合に再びスプレイ配向に逆転移してしまうという性質を有する。スプレイ配向では、視野角特性がベンド配向に対して大きく異なることから表示異常となる。
【０００５】
従来、ベンド配向からスプレイ配向への逆転移を防止するため、例えば１フレームの画像を表示するフレーム期間の一部で大きな電圧をＯＣＢ液晶画素に印加する駆動方式がとられている。ノーマリホワイトの液晶表示パネルでは、この電圧が黒表示電圧に相当するため、黒挿入駆動と呼ばれる。
【特許文献１】特開２００２−２０２４９１号公報
【発明の開示】
【発明が解決しようとする課題】
【０００６】
従来の黒挿入駆動方式では、図６に示すゲート線Ｙ１〜Ｙｍが２垂直走査期間においてゲートドライバによって黒挿入書込用および映像信号書込用に２回走査される。ゲートドライバは各垂直走査期間毎に供給される垂直スタートパルスＳＴＶを垂直クロック信号ＣＫＶに同期してシフトするシフトレジスタを有し、この垂直スタートパルスのシフト位置に基いてゲート線Ｙ１〜Ｙｍを順次選択して駆動する。ソース線Ｘ１〜Ｘｎはゲート線Ｙ１〜Ｙｍの各々が駆動される間にソースドライバによって並列的に駆動される。ソースドライバは、水平走査期間毎に供給される水平スタートパルスＳＴＨを水平クロック信号ＣＫＨに同期してシフトするシフトレジスタを有し、この水平走査期間において順次供給される１行（水平ライン）分の画素データＤＡＴＡ（映像信号Ｓまたは黒表示信号Ｂ）をこの水平スタートパルスのシフト位置に基いて取込みそれぞれ画素電圧に変換し、ラッチ出力パルスＬＴに応答してこれら画素電圧を並列的に複数のソース線Ｘ１〜Ｘｎに出力する。
【０００７】
しかしながら、このような黒挿入駆動方式では、先頭行から最終行までの画素が順次書き込まれた画素電圧を１垂直走査期間ずつ保持して映像信号表示を行い、さらに順次書き込まれた画素電圧を１垂直走査期間ずつ保持して黒挿入表示（非映像信号表示）を行うことになる。映像信号Ｓは最小階調の黒表示レベルから最大階調の白表示レベルの範囲にあるが、すべて白表示レベルであるとすれば、次のような表示が繰り返される。すなわち、黒表示領域が黒挿入書込走査に伴なって表示パネルの上端から下端に向って増大し、この後白表示領域が映像信号書込走査に伴なって表示パネルの上端から下端に向って増大する。表示パネルの観察者はこのようにして生じる画面の輝度変化をフリッカ（ちらつき）として認識することになる。
【０００８】
本発明の目的は、映像信号表示および非映像信号表示を周期的に行なうことにより生じるフリッカを低減できる液晶表示装置を提供することにある。
【課題を解決するための手段】
【０００９】
本発明によれば、略マトリクス状に配置される複数の液晶画素と、複数の液晶画素の行を映像信号書込用および非映像信号書込用にそれぞれ選択する垂直駆動回路と、映像信号書込用に選択された行の液晶画素に対して映像信号を書き込み、非映像信号書込用に選択された行の液晶画素に対して非映像信号を書込む水平駆動回路と、複数の液晶画素に対する映像信号書込みを１垂直走査期間において１行単位に順次行い、複数の液晶画素に対する非映像信号書込みを最初の映像信号書込みから垂直走査期間よりも短い時間遅れて少なくとも１行単位に順次行うように水平駆動回路および垂直駆動回路の動作タイミングを制御する制御回路とを備え、垂直駆動回路は各行の液晶画素に対する映像信号書込用の選択期間と他の行の液晶画素に対する非映像信号書込用の選択期間とを重複させない選択パターンを制御回路から供給される少なくとも２つのイネーブル信号に基いて設定するように構成される液晶表示装置が提供される。
【発明の効果】
【００１０】
この液晶表示装置では、各行の液晶画素に対する映像信号書込用の選択期間が他の行の液晶画素に対する非映像信号書込用の選択期間と重複することがなく、さらに最初の映像信号書込みから非映像信号書込みまでの時間を調整することにより全表示画面に占める非映像信号の表示領域を所望の割合にして平均的な輝度を安定化することができる。すなわち、非映像信号の表示領域が時間的に変化しないため、映像信号表示および非映像信号表示を周期的に行なうことにより生じるフリッカを低減できる。
【発明を実施するための最良の形態】
【００１１】
以下、本発明の一実施形態に係る液晶表示装置について添付図面を参照して説明する。図１はこの液晶表示装置の回路構成を概略的に示す。液晶表示装置はＯＣＢモードの液晶表示パネルＤＰ、および表示パネルＤＰに接続される表示パネル制御回路ＣＮＴを備える。液晶表示パネルＤＰは一対の電極基板であるアレイ基板１および対向基板２間に液晶層３を挟持した構造である。液晶層３は、液晶分子配向が電圧無印加状態でスプレイ配向となる液晶材料を含む。ノーマリホワイトの表示動作を可能にするため、表示パネル制御回路ＣＮＴは電源投入に伴なって液晶分子配向をスプレイ配向からベンド配向に転移させる比較的大きな転移電圧をアレイ基板１および対向基板２から液晶駆動電圧として液晶層３に印加することによって表示パネルＤＰを初期化する。液晶表示パネルＤＰの表示動作では、液晶駆動電圧が液晶表示パネルＤＰの透過率を制御するように液晶層３にされ、さらに黒表示電圧がベンド配向からスプレイ配向への逆転移を阻止するために周期的に液晶駆動電圧として液晶層３に印加される。
【００１２】
アレイ基板１は、例えばガラス等の透明絶縁基板上に略マトリクス状に配置される複数の画素電極ＰＥ、複数の画素電極ＰＥの行に沿って配置される複数のゲート線Ｙ（Ｙ０〜Ｙｍ）、複数の画素電極ＰＥの列に沿って配置される複数のソース線Ｘ（Ｘ１〜Ｘｎ）、並びにこれらゲート線Ｙおよびソース線Ｘの交差位置近傍に配置され各々対応ゲート線Ｙを介して駆動されたときに対応ソース線Ｘおよび対応画素電極ＰＥ間で導通して複数の画素スイッチング素子Ｗを有する。各画素スイッチング素子Ｗは例えば薄膜トランジスタからなり、薄膜トランジスタのゲートがゲート線Ｙに接続され、ソース−ドレインパスがソース線Ｘおよび画素電極ＰＥ間に接続される。
【００１３】
対向基板２は例えばガラス等の透明絶縁基板上に配置されるカラーフィルタ、および複数の画素電極ＰＥに対向してカラーフィルタ上に配置される共通電極ＣＥ等を含む。複数の画素電極ＰＥおよび共通電極ＣＥは例えばＩＴＯ等の透明電極材料からなり、互いに平行にラビング処理される配向膜でそれぞれ覆われる。各画素電極ＰＥおよび共通電極ＣＥはこれら電極ＰＥ，ＣＥ間に位置する液晶層の一部である画素領域と共に液晶画素ＰＸを構成し、電極ＰＥ，ＣＥ間に得られる液晶容量ＣＬＣおよびこの液晶容量ＣＬＣに並列にそれぞれ接続される補助容量Ｃｓにより保持される液晶駆動電圧に対応する電界によって画素領域内の液晶分子配向を制御する。複数の液晶画素ＰＸは複数の画素電極ＰＥの配置に従ってマトリクス状に配置される。
【００１４】
表示パネル制御回路ＣＮＴは、複数の液晶画素ＰＸの行を映像信号書込用および黒挿入書込（非映像信号書込）用にそれぞれ選択する垂直駆動回路ＹＤと、映像信号書込用に選択された行の液晶画素ＰＸに対して映像信号を画素電圧Ｖｓとして書き込み、黒挿入書込用に選択された行の液晶画素ＰＸに対して黒表示信号（非映像信号）を画素電圧Ｖｓとして書込む水平駆動回路ＸＤと、複数の液晶画素ＰＸに対する映像信号書込みを１垂直走査期間において１行単位に順次行い、複数の液晶画素ＰＸに対する黒挿入書込みを最初の映像信号書込みから垂直走査期間よりも短い時間遅れて少なくとも１行単位に順次行うように水平駆動回路ＸＤおよび垂直駆動回路ＹＤの動作タイミングを制御する制御回路であるコントローラ５とを備える。表示パネル制御回路ＣＮＴには、さらに所定数の階調基準電圧ＶＲＥＦを発生する階調基準電圧発生回路７、およびコモン電圧Ｖcomを発生するコモン電圧発生回路８等が設けられる。液晶駆動電圧は、画素電圧Ｖsによって設定される画素電極ＰＥの電位とコモン電圧Ｖcomに設定される共通電極ＣＥの電位との電位差であり、例えばフレーム反転駆動およびライン反転駆動を行うように極性反転される。
【００１５】
垂直駆動回路ＹＤおよび水平駆動回路ＸＤは例えばアレイ基板１の外縁に沿って配置されるフレキシブル配線シートにマウントされた集積回路（ＩＣ）チップである。また、コントローラ５、階調基準電圧発生回路７、およびコモン電圧発生回路８は液晶表示パネルＤＰから独立したプリント配線板ＰＣＢ上に配置される。
【００１６】
図２は垂直駆動回路ＹＤの構成をさらに詳細に示す。垂直駆動回路ＹＤはコントローラ５から１垂直走査期間において供給される第１および第２の垂直スタートパルスＳＴＶを受取って複数の液晶画素ＰＸの行に対する映像信号書込用および黒挿入書込用の選択をそれぞれ開始し、コントローラ５から順次供給される垂直クロック信号ＣＫＶに同期して変更される映像信号書込用の選択行および黒挿入書込用の選択行にそれぞれ対応するゲート線Ｙに対して駆動電圧を出力するゲートドライバ１１と、ゲートドライバ１１から出力される映像信号書込用の駆動電圧および黒挿入書込用の駆動電圧を少なくとも２つのイネーブル信号の組合せ変更によって切換えて時分割的に出力する出力切換部１２とを含む。
【００１７】
具体的には、ゲートドライバが垂直スタートパルスＳＴＶを垂直クロック信号ＣＫＶに同期してシフトするシフトレジスタを有し、選択行の液晶画素ＰＸを表す垂直スタートパルスＳＴＶのシフト位置に基いて駆動電圧を順次ゲート線Ｙ１〜Ｙｍに対して出力する。複数の画素スイッチング素子Ｗは選択行の液晶画素ＰＸに対応するゲート線Ｙからの駆動電圧によって駆動されたときに選択行の液晶画素ＰＸに対する水平駆動回路ＸＤによる書込みを許可するように導通する。
【００１８】
ここでは、イネーブル信号ＯＥ１〜ＯＥ３がコントローラ５から出力切換部１２に供給される。このため、出力切換部１２は例えばゲートドライバ１１からゲート線Ｙ１，Ｙ４，Ｙ７，…，Ｙｍ−２に対して出力される駆動電圧を制御するように接続されるｍ／３個のスイッチングトランジスタ１３、ゲートドライバ１１からゲート線Ｙ２，Ｙ５，Ｙ８，…，Ｙｍ−１に対して出力される駆動電圧を制御するように接続されるｍ／３個のスイッチングトランジスタ１４、ゲートドライバ１１からゲート線Ｙ３，Ｙ６，Ｙ９，…，Ｙｍに対して出力される駆動電圧を制御するように接続されるｍ／３個のスイッチングトランジスタ１５、およびスイッチングトランジスタ１３，１４，１５のゲートにイネーブル信号ＯＥ１〜ＯＥ３の反転信号を出力する３個のインバータ回路１６を有する。
【００１９】
水平駆動回路ＸＤは、１水平走査期間毎に供給される水平スタートパルスＳＴＨを水平クロック信号ＣＫＨに同期してシフトするシフトレジスタを有し、この水平走査期間において順次供給される１行（水平ライン）分の画素データＤＡＴＡ（映像信号Ｓまたは黒表示信号Ｂ）をこの水平スタートパルスＳＴＨのシフト位置に基いて取込み、階調基準電圧ＶＲＥＦを参照してそれぞれ画素電圧Ｖｓに変換し、さらにラッチ出力パルスＬＴに応答してこれら画素電圧Ｖｓを並列的に複数のソース線Ｘ１〜Ｘｎに出力する。
【００２０】
各行の液晶画素ＰＸは映像信号書込みから黒挿入書込みまでの期間だけ映像信号の画素電圧Ｖｓを保持して映像信号表示を行い、さらに黒挿入書込みから次の映像信号書込みまでの期間だけ黒表示信号の画素電圧Ｖｓを保持して黒挿入（非映像信号）表示を行うことになる。
【００２１】
図３はこの液晶表示装置の動作において得られる信号波形を示す。垂直駆動回路ＹＤは第１の垂直スタートパルスＳＴＶの供給に伴って映像信号書込用に複数の液晶画素ＰＸを１行単位に順次選択し、さらに第２の垂直スタートパルスＳＴＶの供給に伴なって黒挿入書込用に複数の液晶画素ＰＸを１行単位に順次選択する。垂直クロック信号ＣＫＶは１水平走査期間に等しいクロック周期を有し、ゲートドライバ１１はこの垂直クロック信号ＣＫＶに同期して変更される選択行に対応するゲート線Ｙに対して１水平走査期間ずつ駆動電圧を出力する。映像信号書込用の選択では、出力切換部１２がイネーブル信号ＯＥ１〜ＯＥ３の組合せに基いて選択行に対応するゲート線Ｙに対する駆動電圧の出力を１水平走査期間の前半において禁止し、この水平走査期間の後半において許可する。また、黒挿入書込用の選択では、出力切換部１２がイネーブル信号ＯＥ１〜ＯＥ３の組合せに基いて選択行に対応するゲート線Ｙに対する駆動電圧の出力を１水平走査期間の前半において許可し、この水平走査期間の後半において禁止する。これにより、各行の液晶画素ＰＸに対する映像信号書込用の選択期間と他の行の液晶画素に対する非映像信号書込用の選択期間とを重複させない選択パターンが設定される。
【００２２】
ゲート線Ｙ１〜Ｙｍは１垂直走査期間において１水平走査期間ずつ映像信号書込用に順次選択され、各々対応水平走査期間Ｈの後半で出力される駆動電圧により駆動される。映像信号Ｓ，Ｓ，Ｓ，…の各々は対応水平走査期間の後半において画素電圧Ｖｓに変換されて、並列的にソース線Ｘ１〜Ｘｎに出力される。これら画素電圧Ｖｓはゲート線Ｙ１〜Ｙｍの各々が対応水平走査期間Ｈの後半で駆動される間に１行目，２行目，３行目，…の液晶画素ＰＸに書き込まれる。
【００２３】
また、最初に選択された行の液晶画素ＰＸの映像信号保持期間が経過すると、ゲート線Ｙ１〜Ｙｍは黒挿入書込用に１水平走査期間ずつ順次選択され、各々対応水平走査期間Ｈの前半で出力される駆動電圧により駆動される。黒表示信号Ｂ，Ｂ，Ｂ，…の各々は対応水平走査期間Ｈの前半において画素電圧Ｖｓに変換されて、並列的にソース線Ｘ１〜Ｘｎに出力される。これら画素電圧Ｖｓはゲート線Ｙ１〜Ｙｍの各々が対応水平走査期間Ｈの前半で駆動される間に１行目，２行目，３行目，…の液晶画素ＰＸに書き込まれる。
【００２４】
図４はこの液晶表示装置の動作により表示される画像を示す。図４に示す３つの黒丸のタイミングで表示される画像を比較すると、映像信号書込位置および黒挿入書込位置間に一定の時間的なオフセットが設けられることがわかる。黒表示領域は全体面積について変化せず、表示画面の上端から下端に向って移動する。
【００２５】
本実施形態では、各行の液晶画素ＰＸに対する映像信号書込用の選択期間が他の行の液晶画素ＰＸに対する非映像信号書込用の選択期間と重複することが出力切換部１２によって阻止され、さらに最初の映像信号書込みから非映像信号書込みまでの時間が垂直スタートパルスＳＴＶの時間間隔により調整可能である。従って、全表示画面に占める黒表示領域を所望の割合にして平均的な輝度を安定化することができる。すなわち、黒表示領域が時間的に変化しないため、映像信号表示および黒挿入表示（非映像信号表示）を周期的に行なうことにより生じるフリッカを低減できる。
【００２６】
また、垂直駆動回路ＹＤは、出力切換部１２が従来の黒挿入駆動方式で用いられるような汎用的なゲートドライバＩＣを用いて構成することが可能なゲートドライバ１１に付加されたシンプルな構造であるため、各行の液晶画素ＰＸに対する映像信号書込用の選択期間が他の行の液晶画素ＰＸに対する非映像信号書込用の選択期間と重複することを回避できるゲートドライバＩＣを新規に設計する場合よりも製造コストを低減できる。
【００２７】
尚、本発明は上述の実施形態に限定されず、その要旨を逸脱しない範囲で様々に変形可能である。
【００２８】
図５は図２に示す垂直駆動回路ＹＤに対してコントローラ５から供給される垂直スタートパルスおよび垂直クロック信号の波形を異ならせた変形例において得られる信号波形を示す。
【００２９】
この変形例では、垂直駆動回路ＹＤが第１の垂直スタートパルスＳＴＶの供給に伴って映像信号書込用に複数の液晶画素ＰＸを１行単位に順次選択し、さらに第２の垂直スタートパルスＳＴＶの供給に伴なって黒挿入書込用に複数の液晶画素ＰＸを２行単位に順次選択する。第１垂直スタートパルスＳＴＶは垂直クロック信号ＣＫＶの１クロック周期分のパルス幅に設定され、第２垂直スタートパルスＳＴＶは１クロック周期分のパルス幅に設定される。さらに、垂直クロック信号ＣＫＶは１水平走査期間に等しいクロック周期を有し、さらに３クロック周期当り１パルスの割合で間引かれる。これに伴って、イネーブル信号ＯＥ１〜ＯＥ３の組合せについても、図６に示すように変更される。これにより、各行の液晶画素ＰＸに対する映像信号書込用の選択期間と他の行の液晶画素に対する非映像信号書込用の選択期間とを重複させない選択パターンが設定される。
【００３０】
上述の実施形態および変形例では、垂直スタートパルスＳＴＶおよび垂直クロック信号ＣＫＶが力切換部１２に供給される３つのイネーブル信号ＯＥ１〜ＯＥ３一緒に用いられたが、これらイネーブル信号は少なくとも２つに変更してもよい。
【図面の簡単な説明】
【００３１】
【図１】本発明の一実施形態に係る液晶表示装置の回路構成を概略的に示す図である。
【図２】図１に示す垂直駆動回路の構成をさらに詳細に示す図である。
【図３】図１に示す液晶表示装置の動作において得られる信号波形を示す図である。
【図４】図１に示す液晶表示装置の動作により表示される画像を示す図である。
【図５】図２に示す垂直駆動回路に対してコントローラから供給される垂直スタートパルスおよび垂直クロック信号の波形を異ならせた変形例において得られる信号波形を示す図である。
【図６】従来の黒挿入駆動方式について説明するための図である。
【符号の説明】
【００３２】
１…アレイ基板、２…対向基板、３…液晶層、５…コントローラ、７…階調基準電圧発生回路、１１…ゲートドライバ、１２…出力切換部、１３，１４，１５…スイッチングトランジスタ、１６…インバータ回路、Ｐ…液晶表示パネル、ＰＥ…画素電極、ＣＥ…共通電極、ＣＬＣ…液晶容量、Ｃｓ…補助容量、ＰＸ…液晶画素、Ｗ…スイッチング素子、Ｙ…ゲート線、Ｘ…ソース線、ＣＮＴ…表示パネル制御回路、ＹＤ…垂直駆動回路、ＸＤ…水平駆動回路。
【図１】
2007241029.tif 000003
【図２】
2007241029.tif 000004
【図３】
2007241029.tif 000005
【図４】
2007241029.tif 000006
【図５】
2007241029.tif 000007
【図６】
2007241029.tif 000008